(57)【要約】【課題】既設のマンションやオフィスビル等、既に配管がされている所において、大掛かりな配管工事を行うことなく、排水立て管に流れる排水に減速旋回流を与えることでき、しかも、ガイドが邪魔になったり、あるいは、ガイドを傷付けたり破損することなく、排水立て管の掃除や満水試験が可能な排水管継手及びカートリッジ部材を提供すること。【解決手段】落下排水が通水される通水口１ａが設けられると共に、その通水口１ａの中途部と連通される座繰り状の開口部１ｂが設けられた継手本体１と、その開口部１ｂに挿脱可能に形成され、前記通水口１ａが連続した水路となるように水路口２ｅが設けられると共にその水路口２ｅ内に前記落下排水に減速旋回流を与えるガイド２ｆが設けられたカートリッジ部材２とを備え、使用態様に応じてカートリッジ部材２を継手本体１に着脱する。【選択図】図１
2008013986.tif 000002
【特許請求の範囲】
【請求項１】
落下排水が通水される通水口が設けられると共に、その通水口の中途部と連通される開口部が設けられた継手本体と、
その開口部に挿脱可能に形成され、前記通水口が連続した水路となるように水路口が設けられると共にその水路口内に前記落下排水に減速旋回流を与えるガイドが設けられたカートリッジ部材と
を備えてなることを特徴とする排水管継手。
【請求項２】
前記ガイドは、前記水路口内周面から突出していると共に、所要の角度で傾斜された略リブ状に形成されていることを特徴とする請求項１記載の排水管継手。
【請求項３】
前記ガイドは、少なくとも２つ以上からなり、前記水路口内に対向するように設けられていることを特徴とする請求項１または２記載の排水管継手。
【請求項４】
前記開口部は、略矩形状に座繰り形成され、その開口部の突き当たり面とその突き当たり面と連続した開口部上下面とが交差するコーナー部分またはその近傍に凸部が形成され、
前記カートリッジ部材は、前記凸部と挿脱可能に係合される凹部が形成されていることを特徴とする請求項１〜３の何れか記載の排水管継手。
【請求項５】
落下排水が通水される通水口が設けられると共に、その通水口の中途部と連通され満水試験用治具が挿入される開口部または掃除口が設けられた排水管継手に用いられるカートリッジ部材であって、
前記開口部または掃除口に挿脱可能に形成され、前記通水口が連続した水路となるように水路口が設けられると共にその水路口内に前記落下排水に減速旋回流を与えるガイドが設けられていることを特徴とするカートリッジ部材。
【発明の詳細な説明】
【技術分野】
【０００１】
本発明は、排水立て管同士を接続させる排水管継手及びカートリッジ部材に関する。
【背景技術】
【０００２】
排水システムとして、従来から２管式排水システムがある。この２管式排水システムとは、汚水や雑排水を通す排水管と、管内圧力変動を抑えるための通気管とを設ける配管方法である。通気管は、排水管内の圧力が正圧となったときには、排水管内の空気を通気管から系外に逃して正圧を減衰させる役割を果たし、排水管内の圧力が負圧となったときには、通気管から排水管内へ空気を供給して負圧を減衰させる役割を果たす。かかる２管式排水システムを設計するにあたり、設計基準に従って適性に設計し、十分な通気量を確保できる通気管口径としていても、実際には、構築された建造物に対して通気量が不足してしまう惧れがある。
【０００３】
例えば、高層マンションや高層オフィスビル等の多層階建物において、極端な同時排水により排水立て管内に瞬時に多量の排水が流下した場合、排水立て管内の圧力変動が想定外に大きくなってしまい、排水横枝管によって排水立て管に接続している衛生機器の排水トラップを破封させてしまう惧れがあった。すなわち、上層階では、下層階側で多量の排水が排水立て管内を流下するとき、空気が下層階側へ吸引され、排水立て管内が異常な負圧状態となる。このとき、排水横枝管内の空気は排水立て管側に吸引され、衛生機器の排水トラップ内のトラップ水も排水立て管側に吸引されて破封してしまう。一方、下層階では、上層階側から多量の排水が排水立て管内を流下するとき、空気が圧縮され、排水立て管内が異常な正圧状態となる。このとき、排水立て管内の空気が排水横枝管側に押し出され、衛生機器の排水トラップ内のトラップ水も衛生器具の排水口から室内に押し出されて破封してしまう。
【０００４】
そこで、排水立て管に流れる排水に減速旋回流を与えることで、空気芯を確保し、許容排水負荷を向上させることで上記課題を解決する技術手段が提案されている。すなわち、排水立て管内に空気芯を確保することで、排水立て管内が正圧状態のときには、空気芯を通じて空気を排出し、負圧状態の時には、空気芯を通じて空気を取り入れて異常な正圧状態や負圧状態を解消することで上記課題を解決している。
【０００５】
かかる技術手段として、例えば、上部立て管接続口と、直管状の直管胴部、テーパ管部、第１旋回ガイド、第２旋回ガイドを備えた本体部と、下部立て管接続口とを備え、本体部は、直管胴部内側に突出形成され満水試験用治具取付可能な上部取付座、下部取付座、それらの取付座の側方に開口形成された満水試験用治具挿入口を有し、常には満水試験用治具挿入口が密閉蓋で密閉されてなる排水管継手がある。
【０００６】
この排水管継手によれば、排水立て管の中途に設置されて、流下する排水に旋回性を付与して排水立て管内に空気芯を確保することができ、加えて満水試験を容易に行うことができる、としている（例えば特許文献１参照）。
【０００７】
なお、上記した満水試験とは、例えば、接続された排水立て管の中途部に満水試験用治具挿入口を有した継手を介在させておき、その満水試験用治具挿入口に例えばジャッキ状の満水試験用治具を挿入し、排水路を遮断した状態で排水することで、排水立て管の漏れ等を検査するものであり、この満水試験用の配管継手は、試験終了後、配水管の一部となるものである。また、ジャッキ状の満水試験用治具の替わりに、風船のように膨出可能なボール状の満水試験用治具を管内に挿入して行う場合もある。
【０００８】
また、減速旋回流を与える排水管継手の別の態様として、排水立て管と接続させる接続部を上・下端に配設した略円筒状の排水管継手本体の周壁に、掃除口を開口させ、その掃除口が蓋体で覆われており、排水管継手本体の内周面には、掃除口と略同等の高さ位置に、流下する排水に減速旋回性を与える旋回ガイドを配設した排水管継手がある。
【０００９】
この排水管継手によれば、流下する排水に減速旋回性を付与できる掃除口を備えた排水管継手が提供できる、としている（例えば特許文献２参照）。
【００１０】
【特許文献１】特開平１１−２４８０７０公報（第１頁、図１）
【特許文献２】特開２０００−３５２４９０公報（第１頁、図１）
【発明の開示】
【発明が解決しようとする課題】
【００１１】
しかしながら、上記した何れの排水管継手は、継手本体の内壁を隆起させて旋回ガイドを形成させているため、下記の問題点を有していた。
まず、既設のマンションやオフィスビル等、既に配管がされている所で通気量が不足している場合、上記した何れの排水管継手を排水立て管の中途部分に新規に組み込むことは、排水立て管全体を配管し直すに等しく、現実的に不可能であった。
【００１２】
また、排水立て管は、管内堆積物の除去と洗浄を定期的に行う必要があるため、掃除口を設けた排水継手を適宜介在させているが、その掃除方法として、例えば、掃除口を塞いでいた蓋を開け、その掃除口から洗浄ノズルを挿入し、洗浄液を噴射することで管内の掃除を行ったり、洗浄ノズルの替わりにワイヤを用いて掃除を行っている。
このように、排水立て管の掃除を行う際は、洗浄ノズルやワイヤ等を管内に挿入する必要があるが、上記した何れの排水管継手を組み込んだ排水立て管の場合、上記したガイドが邪魔になったり、あるいは、ガイドを傷付けたり破損してしまうことがあった。また、満水試験の際に、ガイドが邪魔になる場合もあった。
【００１３】
そこで本発明は、このような状況に鑑みてなされたものであり、既設のマンションやオフィスビル等、既に配管がされている所において、大掛かりな配管工事を行うことなく、排水立て管に流れる排水に減速旋回流を与えることでき、しかも、ガイドが邪魔になったり、あるいは、ガイドを傷付けたり破損することなく、排水立て管の掃除や満水試験が可能な排水管継手及びカートリッジ部材を提供することを目的とする。
【課題を解決するための手段】
【００１４】
上記技術課題を達成するために、本発明にかかる排水管継手及びカートリッジ部材は、下記の技術的手段を講じた。
すなわち、請求項１にかかる排水管継手は、落下排水が通水される通水口が設けられると共に、その通水口の中途部と連通される開口部が設けられた継手本体と、その開口部に挿脱可能に形成され、前記通水口が連続した水路となるように水路口が設けられると共にその水路口内に前記落下排水に減速旋回流を与えるガイドが設けられたカートリッジ部材とを備えてなることを特徴とする。
【００１５】
請求項２にかかる排水管継手は、請求項１において、前記ガイドは、前記水路口内周面から突出していると共に、所要の角度で傾斜された略リブ状に形成されていることを特徴とする。
【００１６】
請求項３にかかる排水管継手は、請求項１または２において、前記ガイドは、少なくとも２つ以上からなり、前記水路口内に対向するように設けられていることを特徴とする。
【００１７】
請求項４にかかる排水管継手は、請求項１〜３の何れかにおいて、前記開口部は、略矩形状に座繰り形成され、その開口部の突き当たり面とその突き当たり面と連続した開口部上下面とが交差するコーナー部分またはその近傍に凸部が形成され、前記カートリッジ部材は、前記凸部と挿脱可能に係合される凹部が形成されていることを特徴とする。
【００１８】
請求項５にかかるカートリッジ部材は、落下排水が通水される通水口が設けられると共に、その通水口の中途部と連通され満水試験用治具または満水試験用ボールが挿入される開口部または掃除口が設けられた排水管継手に用いられるカートリッジ部材であって、
前記開口部または掃除口に挿脱可能に形成され、前記通水口が連続した水路となるように水路口が設けられると共にその水路口内に前記落下排水に減速旋回流を与えるガイドが設けられていることを特徴とする。
【発明の効果】
【００１９】
本発明にかかる排水管継手によれば、排水を減速旋回させるガイドが設けられたカートリッジ部材を開口部から取り外して開口部を露出させ、その露出した開口部を満水試験用治具の挿入口としたり、掃除口として利用でき、その際、カートリッジ部材側にガイドがあることから、満水試験の際や掃除の際にガイドが邪魔になったり、あるいは、ガイドを傷付けたり破損する惧れを解消できる。
【００２０】
本発明にかかる排水管継手によれば、排水を減速旋回させるガイドをカートリッジ部材に設けて開口部から挿脱自在としたことにより、以下に示す効果がある。従来の排水管継手では、継手本体の内壁を排水に減速旋回流を付与するガイドが設けられていることから、使用者が誤ってガーゼ等の不溶性の異物を衛生器具から排水立て管に流入させてしまい、それが旋回ガイドに引っ掛かることによって排水立て管内を閉塞させ、排水機能を阻害させてしまうトラブルが発生した場合、復旧する作業員は、狭い掃除口等の開口から異物挟み等の治具を挿入して異物を除去しなければならず、作業性が非常に悪かった。これに対し、本発明の排水管継手では、ガイドをカートリッジ部材ごと継ぎ手本体から取り外して、異物を除去することができるので、作業性が非常に良好であるという効果がある。
【００２１】
また、金属等の堅い異物が衛生器具から誤って流入されてしまったことにより、排水立て管内で重力により加速度が大幅に上昇した異物が接触することでガイドが破損してしまった場合でも、従来の継手本体内壁にガイドが設けられている排水管継手では、排水管継手ごと交換しなければならず、交換作業時間が長く、交換費用も多大に掛かるため、機能が低下してもそのまま使用し続けることが多かったが、本発明の排水管継手では、ガイドを破損したカートリッジ部材ごと交換するだけで復旧することができるので、交換作業も短時間であり、かつ交換費用も大幅に少なくて済む効果がある。
【００２２】
さらに、ガイドをカートリッジ部材ごと交換することが可能であることから、ガイドの形状を排水立て管内における排水の水流の性状等に適した形状のガイドに容易に交換することができる効果もある。
【００２３】
本発明にかかるカートリッジ部材によれば、既設のマンションやオフィスビル等、既に、満水試験用継手が介在された配管がされている場合、満水試験以外のとき（通常の排水時）に、満水試験用継手に設けられた満水試験用治具用の開口部を覆う蓋の替わりにカートリッジ部材を挿入しておくことで、大掛かりな配管工事を行うことなく、排水立て管に流れる排水に減速旋回流を容易に与えることができる。
【発明を実施するための最良の形態】
【００２４】
次に、本発明にかかる排水管継手の実施の形態を、図面を参照しながら説明する。
本実施の形態にかかる排水管継手Ａは、継手本体１と、カートリッジ部材２とを備えてなる。
【００２５】
継手本体１は、図１〜図３に示すように、中途部が矩形体状に形成されると共に、その中途部を境に上下が略円柱状に形成された外観形状をなし、その略円柱状部分には、落下排水を通水させる通水口１ａが形成され、矩形体状部分の一側面には、その通水口１ａと連通されるように略矩形状に座繰られた開口部１ｂが形成されて成る。
【００２６】
この開口部１ｂの幅は、通水口１ａの径よりも幅広となっており、開口部上下面１ｃ、１ｄが形成されている。この開口部上下面１ｃ、１ｄは、後述する満水試験用治具Ｂを突っ張らせるための当接面となる。また、開口部１ｂの奥行き方向の面、すなわち、開口部１ｂの突き当たり面１ｅは、平面視凹湾曲状となっている。
【００２７】
また、開口部１ｂの突き当たり面１ｅとその突き当たり面１ｅと連続した開口部下面１ｄとが交差するコーナー部分に凸部１ｆが形成されている。この凸部１ｆは、満水試験用治具Ｂ（図７参照）に設けられた凹部と、後述するカートリッジ部材２に設けられた凹部２ｃとに嵌合可能になっており、これらの挿入部材の天地逆転を防止させるとともに、後述する満水試験用治具Ｂを継手本体１に当接させる際に、プレート同士が共回りするのを防ぐものである。
【００２８】
さらにこの継手本体１は、その上下両端に、排水立て管Ｃに固着されるフランジとボルトを用いて締結させるフランジ１ｇ（取付孔１ｈが設けられている）が一体成形されており、一方、開口部１ｂ側の側面には、後述するカートリッジ部材２を、ボルトを用いて締結させるネジ孔１ｋが設けられている。
【００２９】
カートリッジ部材２は、図３〜図６に示すように、開口部１ｂの内面形状に沿うように先側の側面が凸湾曲状された略ブロック状に形成されると共に、開口部１ｂ側の側面と当接され上記したネジ孔１ｋと係合される連通孔２ａが設けられた鍔状の張出部２ｂが形成され、さらに、継手本体１に設けた凸部１ｆと対応する位置に、この凸部１ｆと嵌合可能な凹部２ｃが設けられてなる。このように形成されたカートリッジ部材２は、開口部１ｂに挿脱可能及び締結可能になっている。
【００３０】
そして、このカートリッジ部材２は、開口部１ｂに挿嵌させた際に、通水口１ａと連続した水路となるように通水口１ａの径と同じ径からなる水路口２ｄが設けられている。さらに、この水路口２ｄ内には、落下排水に減速旋回流を与えるガイド２ｅが設けられている。
【００３１】
このガイド２ｅは、図３及び図５に示すように、カートリッジ部材２挿入方向と平面視直交する方向の夫々の水路口２ｄ内壁部に、縦断面視、水路口２ｄの中心線上で交差するようにカートリッジ部材２の挿入方向に向かって上下方向所要の角度で傾斜された略リブ状に形成されてなる。
【００３２】
このように、ガイド２ｅは、水路口２ｄ内に対向するように設けられた一対からなり、そのガイド２ｅの夫々の中央縁部２ｆは、平面視、水路口２ｄ中心を中心とした凹湾曲状に切り欠き形成されている。このように中央縁部２ｆを凹湾曲状に切り欠き形成することで、排水の減速度と排水の旋回度の両者をバランス良くすることが可能となる。なお、この中央縁部２ｆの切り欠きの有無は任意である。
【００３３】
なお、本実施の形態では、このガイド２ｅの傾き方向として、左回りの渦が形成されるように傾かせているが、右回りの渦が形成されるように傾かせても良い。また、張出部２ｂの外側を凹状にして肉盗みをしているが、肉盗みの有無は任意である。
【００３４】
以上のように構成された本実施の形態にかかる排水管継手Ａは、排水立て管Ｃとはいわゆるメカニカル形式で接続されている。つまり、排水立て管Ｃの管端からフランジを管軸方向に摺動可能に挿入し、その排水立て管Ｃの管端を、パッキンを装着した継手本体１の通水口から挿入し、排水立て管Ｃ側のフランジとフランジ１ｇとを取付孔１ｈを挿通したにボルトとナットによってパッキンを締め付けることで、排水管継ぎ手Ａと排水立て管Ｃとを水密に接続する。配管施工が完了したら、カートリッジ部材２を開口部１ｂに挿入し継手本体１にボルトを用いて締結して配管施工が完了する。なお、カートリッジ部材２を継手本体１に締結した状態で配管施工しても良く、その順序は任意である。
【００３５】
このようにして、配管施工が完了した排水システムに排水をさせると、カートリッジ部材２に設けたガイド２ｅによって、排水が減速し、同時に旋回することで、排水の中心に空気芯が形成して、許容排水負荷を向上させることできる。
【００３６】
また、カートリッジ部材２を開口部１ｂから取り外して開口部１ｂを露出させ、その露出した開口部１ｂを満水試験用治具Ｂの挿入孔としたり、掃除孔として利用でき、その際、カートリッジ部材２側にガイド２ｅがあることから、満水試験の際や掃除の際にガイド２ｅが邪魔になったり、あるいは、ガイド２ｅを傷付けたり破損する惧れを解消できる。
【００３７】
ここで、この満水試験と管内掃除のうち、前者の満水試験の概略を、図７〜図９を参照しながら説明する。なお、この満水試験は、ジャッキ状の満水試験用治具Ｂを用いる場合と、ボール状の満水試験用治具（テストボール）Ｄを用いる場合とがあり、これら順を追って説明する。
【００３８】
（ジャッキ状の満水試験用治具Ｂを用いる場合）
最初に満水試験用治具Ｂの構成を、図７を参照しながら説明する。この満水試験用治具Ｂは、内部に排水孔が設けられた支柱ｂ４と、その支柱ｂ４の上端部に螺着された上プレートｂ１と、その支柱ｂ４の中途部に係合され、その通水口の遮断及び開放を行う止水弁ｂ３と、その支柱ｂ４の下部に螺着され、排水孔と連通される連通孔が形成された調節ナットｂ５と、その調整ナットｂ５の下端部に回動可能に係合された下プレートｂ２とを備えて構成され、調節ナットｂ５を回動することで上プレートｂ１と下プレートｂ２とが接離間するようになっている。また、上記した止水弁ｂ３は、検査後に、上方に貯えられた水を下方へ排水するための操作用の弁として用いられる。
また、この満水試験用治具Ｂには、継手本体１に設けた凸部１ｆと対応する位置に凹部が設けられており、天地逆転を防止するとともに、満水試験用治具Ｂを継手本体１に当接させる際に、プレート同士が共回りするのを防ぐようになっている。
【００３９】
このように構成されたジャッキ状の満水試験用治具Ｂを用いての満水試験は、まず、カートリッジ部材２を開口部１ｂから取り外して開口部１ｂを露出し、次いで、その満水試験用治具Ｂを挿入する。挿入が完了したら、調節ナットｂ５を回動して開口部上下面１ｃ、１ｄに、上プレートｂ１と下プレートｂ２との双方を当接・圧接して突っ張らせ、排水管継手Ａを挟んで上下に配管された排水立て管Ｃの排水路を、上記した通水口（支柱ｂ４の）及び連通孔（調節ナットｂ５）を介して連通状態にする。しかる後、止水弁ｂ３を閉じて排水孔の遮断を行う（なお、予め止水弁ｂ３を閉じておいても良い）。
【００４０】
そして、図８に示したように、設置された満水試験用治具Ｂより上位に接続された本実施の形態にかかる排水管継手Ａまたは満水試験用継手の何れかから通水し、各接続部の漏れ等を検査する。
検査が終了したら、上記した止水弁ｂ３を開放して、上方に貯えられた水を下方へ逃がし、満水試験用治具Ｂを開口部１ｂから取り外す。さらに、カートリッジ部材２を開口部１ｂに取り付けることで、一連の満水試験が終了する。
【００４１】
（ボール状の満水試験用治具（テストボール）Ｄを用いる場合）
次に、ボール状の満水試験用治具Ｄを用いて満水試験を行う場合について説明する。なお、このボール状の満水試験用治具Ｄは、圧搾空気により膨出可能なボール部ｄ１と空気ポンプｄ２とがチューブｄ３を介して接続されてなり、空気ポンプｄ２を作動することで、ボール部ｄ１が膨出するようになっている。
【００４２】
まず、本実施の形態にかかる排水管継手Ａのカートリッジ部材２を開口部１ｂから取り外して開口部１ｂを露出し、次いで、図９に示したように、その開口部１ｂからボール部ｄ１を所定位置まで下降させていく。
【００４３】
そして、ボール部ｄ１が所定位置まで下降したら、空気ポンプｄ２を作動してボール部ｄ１を膨出して排水立て管Ｃの排水路を塞ぐ。
そして、上記と同様に、ボール部ｄ１より上位に位置した本実施の形態にかかる排水管継手Ａから通水し、各接続部の漏れ等を検査する。
【００４４】
このように本実施の形態にかかる排水管継手Ａを用いることで、満水試験の際にガイド２ｅが邪魔になったり、あるいは、ガイド２ｅを傷付けたり破損する惧れを解消できる。なお、管内掃除の場合も同様な効果を奏する。
【００４５】
以上のように本実施の形態かかる合流継手によれば、排水を減速旋回させるガイド２ｅが設けられたカートリッジ部材２を開口部１ｂから取り外して開口部１ｂを露出させ、その露出した開口部１ｂを満水試験用治具Ｂの挿入孔としたり、掃除孔として利用できる。その上、カートリッジ部材２側にガイド２ｅがあることから、満水試験の際や掃除の際にガイド２ｅが邪魔になったり、あるいは、ガイド２ｅを傷付けたり破損する惧れを解消できる。
【００４６】
また、本実施の形態では、排水管継手Ａとして例示しているが、カートリッジ部材２のみの構成でも良い。この場合、満水試験用治具Ｂまたは満水試験用ボールが挿入される座繰り状の開口部１ｂまたは掃除孔が設けられた既設の排水管継手に用いられる。すなわち、その構成自体は上記したカートリッジ部材２と同じであるが、既設のマンションやオフィスビル等、既に、満水試験用継手等が介在された配管がされている場合、満水試験以外のとき（通常の排水時）に、満水試験用継手等に設けられた開口部１ｂを覆う蓋の替わりに、このカートリッジ部材２を挿入しておくことで、大掛かりな配管工事を行うことなく、排水立て管Ｃに流れる排水に減速旋回流を容易に与えることができる。なお、既設の満水試験用継手等に設けられた開口部１ｂの形状に応じてカートリッジ部材２を形設することは言うまでもない。
【００４７】
さらに、ガイド２ｅの枚数、傾斜角度を異ならせて異なる減速旋回流が得られる数パターンのカートリッジ部材２を用意しておくことで、建物毎に最適な減速旋回流が得られるものを選択することが容易になるので、利便性をも向上することができる。
【００４８】
以上、本実施の形態にかかる排水管継手を説明したが、上述した実施の形態は、本発明の好適な実施の形態の一例を示すものであり、本発明はそれに限定されるものではなく、その要旨を逸脱しない範囲内において、種々変形実施が可能である。
【図面の簡単な説明】
【００４９】
【図１】本実施の形態にかかる排水管継手の縦断面図である。
【図２】継手本体の正面図（開口部側から見た状態）である。
【図３】分解状態の縦断面図である。
【図４】カートリッジ部材の斜視図である。
【図５】カートリッジ部材の平面図である。
【図６】カートリッジ部材の正面図である。
【図７】満水試験用治具の縦断面図である。
【図８】満水試験の概略を示す説明図（ジャッキ状の満水試験用治具を用いる場合）である。
【図９】満水試験の概略を示す説明図（ボール状の満水試験用治具（テストボール）を用いる場合）である。
【符号の説明】
【００５０】
Ａ…排水管継手  １…継手本体  １ａ…通水口  １ｂ…開口部  １ｃ…開口部上面  １ｄ…開口部下面  １ｅ…突き当たり面  １ｆ…凸部  １ｇ…フランジ  １ｈ…取付孔  １ｋ…ネジ孔  ２…カートリッジ部材  ２ａ…連通孔  ２ｂ…張出部  ２ｃ…凹部  ２ｄ…水路口  ２ｅ…ガイド  ２ｆ…中央縁部  Ｂ…ジャッキ状の満水試験用治具  ｂ１…上プレート  ｂ２…下プレート  ｂ３…止水弁  ｂ４…支柱  ｂ５…調節ナット  Ｃ…排水立て管  Ｄ…ボール状の満水試験用治具（テストボール）  ｄ１…ボール部  ｄ２…空気ポンプ  ｄ３…チューブ
【図１】
2008013986.tif 000003
【図２】
2008013986.tif 000004
【図３】
2008013986.tif 000005
【図４】
2008013986.tif 000006
【図５】
2008013986.tif 000007
【図６】
2008013986.tif 000008
【図７】
2008013986.tif 000009
【図８】
2008013986.tif 000010
【図９】
2008013986.tif 000011